(57)【特許請求の範囲】
【請求項１】
透析用Ａ粉末を浄水に溶解させてＡ溶液を作成するＡ粉末溶解手段と、透析用Ｂ粉末を浄水に溶解させてＢ溶液を作成するＢ粉末溶解手段と、上記Ａ粉末溶解手段および上記Ｂ粉末溶解手段で作成したＡ溶液およびＢ溶液をそれぞれ計量する計量手段と、該計量手段で計量したＡ溶液およびＢ溶液を混合して透析液を調製する混合手段と、上記計量手段から混合手段にＡ溶液およびＢ溶液を送液する送液手段と、これらを制御する制御手段とを備え、
上記Ａ粉末溶解手段および上記Ｂ粉末溶解手段は、それぞれ所定流量の浄水を流通させる浄水通路が接続された溶液タンクと、透析用粉末を貯溜する粉末ホッパと、各溶液タンクに透析用粉末を供給する粉末フィーダとを備え、
Ａ溶液とＢ溶液とを所定割合で混合すれば浄水を添加することなく透析液が得られるよう、上記Ａ溶液の濃度とＢ溶液の濃度と上記所定割合とを設定し、
上記Ａ粉末溶解手段および上記Ｂ粉末溶解手段における溶液タンクにそれぞれ浄水通路を介して浄水を所定の流量で供給し、また各粉末フィーダが各粉末ホッパの透析用Ａ粉末および透析用Ｂ粉末を所定の割合で供給して溶解させて、上記設定濃度からなる上記Ａ溶液およびＢ溶液を作成し、
上記計量手段は、内部がダイアフラムによって収容可能量の等しいＡ溶液室とＢ溶液室とに区画された密閉容器であって、
Ａ溶液室にＡ溶液を供給して計量する間に、Ｂ溶液室から計量済みのＢ溶液を排出するとともに、Ｂ溶液室にＢ溶液を供給して計量する間に、Ａ溶液室から計量済みのＡ溶液を排出するようにし、
上記計量手段は、予め設定された上記設定濃度のＡ溶液および上記設定濃度のＢ溶液を上記混合手段において上記所定割合が得られるようにそれぞれ同回数計量し、上記送液手段は、上記Ａ溶液室およびＢ溶液室から、Ａ溶液およびＢ溶液を交互に上記混合手段に送液して、浄水を添加することなく上記混合手段で透析液を連続的に調製することを特徴とする透析液調製装置。
【請求項２】
透析用Ａ粉末を浄水に溶解させてＡ溶液を作成するＡ粉末溶解手段と、透析用Ｂ粉末を浄水に溶解させてＢ溶液を作成するＢ粉末溶解手段と、上記Ａ粉末溶解手段および上記Ｂ粉末溶解手段で作成したＡ溶液およびＢ溶液をそれぞれ計量する計量手段と、該計量手段で計量したＡ溶液およびＢ溶液を混合して透析液を調製する混合手段と、上記計量手段から混合手段にＡ溶液およびＢ溶液を送液する送液手段と、これらを制御する制御手段とを備え、
上記Ａ粉末溶解手段および上記Ｂ粉末溶解手段は、それぞれ所定流量の浄水を流通させる浄水通路が接続された溶液タンクと、透析用粉末を貯溜する粉末ホッパと、各溶液タンクに透析用粉末を供給する粉末フィーダとを備え、
Ａ溶液とＢ溶液とを所定割合で混合すれば浄水を添加することなく透析液が得られるよう、上記Ａ溶液の濃度とＢ溶液の濃度と上記所定割合とを設定し、
上記Ａ粉末溶解手段および上記Ｂ粉末溶解手段における溶液タンクにそれぞれ浄水通路を介して浄水を所定の流量で供給し、また各粉末フィーダが各粉末ホッパの透析用Ａ粉末および透析用Ｂ粉末を所定の割合で供給して溶解させて、上記設定濃度からなる上記Ａ溶液およびＢ溶液を作成し、
上記計量手段は、内部がダイアフラムによって収容可能量の等しい２室に区画されたＡ溶液密閉容器およびＢ溶液密閉容器からなり、
各密閉容器における一方の室に溶液を供給して計量する間に、他方の室から計量済みの溶液を排出するようにし、
上記計量手段は、予め設定された上記設定濃度のＡ溶液および上記設定濃度のＢ溶液を上記混合手段において上記所定割合が得られるようにそれぞれ同回数計量し、上記送液手段は、Ａ溶液密閉容器およびＢ溶液密閉容器のそれぞれから、同時にＡ溶液およびＢ溶液を上記混合手段に送液して、浄水を添加することなく上記混合手段で透析液を連続的に調製することを特徴とする透析液調製装置。
【発明の詳細な説明】
【技術分野】
【０００１】
本発明は透析液調製装置に関し、詳しくは透析用Ａ粉末および透析用Ｂ粉末をそれぞれ浄水に溶解したＡ溶液およびＢ溶液を混合して透析液を調製する透析液調製装置に関する。
【背景技術】
【０００２】
従来、透析治療に用いる透析液の調製方法として、Ａ原液、Ｂ原液、浄水をそれぞれ所定の比率で混合することが行われており（特許文献１、２）、また上記Ａ原液およびＢ原液は透析用Ａ粉末および透析用Ｂ粉末をそれぞれ浄水で溶解して得られることが知られている（特許文献３）。
【特許文献１】特公平５−３４９８８号公報
【特許文献２】特開平７−２７５３５２号公報
【特許文献３】特開平１０−２３２号公報
【発明の開示】
【発明が解決しようとする課題】
【０００３】
ここで、透析液を調製するためのＡ原液、Ｂ原液、浄水の混合比は、例えば１：１．２６：３２．７４となっており、特許文献３のように透析用Ａ粉末、透析用Ｂ粉末を浄水で溶解してＡ原液、Ｂ原液を作成する場合も、浄水と上記混合比で混合して透析液が得られるような溶解濃度で作成されるようになっている。
そのため、透析液を調製するには、上記粉末を浄水で溶解して原液を作成した後、この原液をさらに浄水で希釈しなければならず、作業が煩雑であるという問題があった。
また、従来の透析液調製装置は、それぞれ送液されたＡ原液、Ｂ原液、浄水を混合する２つの混合タンクと、各混合タンクで調製された透析液を収容する貯溜タンクとを備えており、各混合タンクは調製した透析液を交互に貯溜タンクへと送液し、この貯溜タンクから連続的に多数の透析装置に同時に供給するようになっている。
このため、上記混合タンクや貯液タンクを小さくすることができず、装置を小型化できないといった問題があった。
このような問題に鑑み、本発明は透析液を容易に調製することが可能であるとともに、装置を小型化することの可能な透析液調製装置を提供するものである。
【課題を解決するための手段】
【０００５】
請求項１の発明にかかる透析液調製装置は、透析用Ａ粉末を浄水に溶解させてＡ溶液を作成するＡ粉末溶解手段と、透析用Ｂ粉末を浄水に溶解させてＢ溶液を作成するＢ粉末溶解手段と、上記Ａ粉末溶解手段および上記Ｂ粉末溶解手段で作成したＡ溶液およびＢ溶液をそれぞれ計量する計量手段と、該計量手段で計量したＡ溶液およびＢ溶液を混合して透析液を調製する混合手段と、上記計量手段から混合手段にＡ溶液およびＢ溶液を送液する送液手段と、これらを制御する制御手段とを備え、
上記Ａ粉末溶解手段および上記Ｂ粉末溶解手段は、それぞれ所定流量の浄水を流通させる浄水通路が接続された溶液タンクと、透析用粉末を貯溜する粉末ホッパと、各溶液タンクに透析用粉末を供給する粉末フィーダとを備え、
Ａ溶液とＢ溶液とを所定割合で混合すれば浄水を添加することなく透析液が得られるよう、上記Ａ溶液の濃度とＢ溶液の濃度と上記所定割合とを設定し、
上記Ａ粉末溶解手段および上記Ｂ粉末溶解手段における溶液タンクにそれぞれ浄水通路を介して浄水を所定の流量で供給し、また各粉末フィーダが各粉末ホッパの透析用Ａ粉末および透析用Ｂ粉末を所定の割合で供給して溶解させて、上記設定濃度からなる上記Ａ溶液およびＢ溶液を作成し、
上記計量手段は、内部がダイアフラムによって収容可能量の等しいＡ溶液室とＢ溶液室とに区画された密閉容器であって、
Ａ溶液室にＡ溶液を供給して計量する間に、Ｂ溶液室から計量済みのＢ溶液を排出するとともに、Ｂ溶液室にＢ溶液を供給して計量する間に、Ａ溶液室から計量済みのＡ溶液を排出するようにし、
上記計量手段は、予め設定された上記設定濃度のＡ溶液および上記設定濃度のＢ溶液を上記混合手段において上記所定割合が得られるようにそれぞれ同回数計量し、上記送液手段は、上記Ａ溶液室およびＢ溶液室から、Ａ溶液およびＢ溶液を交互に上記混合手段に送液して、浄水を添加することなく上記混合手段で透析液を連続的に調製することを特徴としている。
また請求項２の発明にかかる透析液調製装置は、透析用Ａ粉末を浄水に溶解させてＡ溶液を作成するＡ粉末溶解手段と、透析用Ｂ粉末を浄水に溶解させてＢ溶液を作成するＢ粉末溶解手段と、上記Ａ粉末溶解手段および上記Ｂ粉末溶解手段で作成したＡ溶液およびＢ溶液をそれぞれ計量する計量手段と、該計量手段で計量したＡ溶液およびＢ溶液を混合して透析液を調製する混合手段と、上記計量手段から混合手段にＡ溶液およびＢ溶液を送液する送液手段と、これらを制御する制御手段とを備え、
上記Ａ粉末溶解手段および上記Ｂ粉末溶解手段は、それぞれ所定流量の浄水を流通させる浄水通路が接続された溶液タンクと、透析用粉末を貯溜する粉末ホッパと、各溶液タンクに透析用粉末を供給する粉末フィーダとを備え、
Ａ溶液とＢ溶液とを所定割合で混合すれば浄水を添加することなく透析液が得られるよう、上記Ａ溶液の濃度とＢ溶液の濃度と上記所定割合とを設定し、
上記Ａ粉末溶解手段および上記Ｂ粉末溶解手段における溶液タンクにそれぞれ浄水通路を介して浄水を所定の流量で供給し、また各粉末フィーダが各粉末ホッパの透析用Ａ粉末および透析用Ｂ粉末を所定の割合で供給して溶解させて、上記設定濃度からなる上記Ａ溶液およびＢ溶液を作成し、
上記計量手段は、内部がダイアフラムによって収容可能量の等しい２室に区画されたＡ溶液密閉容器およびＢ溶液密閉容器からなり、
各密閉容器における一方の室に溶液を供給して計量する間に、他方の室から計量済みの溶液を排出するようにし、
上記計量手段は、予め設定された上記設定濃度のＡ溶液および上記設定濃度のＢ溶液を上記混合手段において上記所定割合が得られるようにそれぞれ同回数計量し、上記送液手段は、Ａ溶液密閉容器およびＢ溶液密閉容器のそれぞれから、同時にＡ溶液およびＢ溶液を上記混合手段に送液して、浄水を添加することなく上記混合手段で透析液を連続的に調製することを特徴としている。
【発明の効果】
【０００６】
上記発明によれば、上記Ａ溶液およびＢ溶液を所定割合で混合すれば浄水を添加することなく上記透析液が得られるように、予め上記Ａ溶液の濃度、Ｂ溶液の濃度および上記所定割合を設定しているので、Ａ溶液およびＢ溶液だけを混合すれば透析液が得られ、容易に透析液を調製することができる。
また、上記混合装置がＡ溶液およびＢ溶液を混合するだけで透析液を調製することができるので、これを直ちに透析装置に供給することができ、従来のような２槽の混合タンクや大型の貯溜タンクが必要ではなくなるので、透析液調製装置を小型化することが可能となる。
【発明を実施するための最良の形態】
【０００７】
以下、第１実施例について説明すると、図１〜図４には透析用Ａ粉末を浄水に溶解させてＡ溶液を作成するＡ粉末溶解手段１と、透析用Ｂ粉末を浄水に溶解させてＢ溶液を作成するＢ粉末溶解手段２と、これらＡ溶液とＢ溶液とを混合して透析液を調製する透析液調製装置３とを示し、これらは図示しない各制御手段によって制御されるようになっている。
上記透析液調製装置３は、Ａ粉末溶解手段１およびＢ粉末溶解手段２から供給されるＡ溶液およびＢ溶液を計量する計量手段４と、計量されたＡ溶液およびＢ溶液を送液する送液手段と、送液されたＡ溶液およびＢ溶液を混合して透析液を調製し、該透析液を図示しない透析装置に供給する混合手段としての往復ポンプ５とを備えている。
上記Ａ粉末溶解手段１およびＢ粉末溶解手段２には浄水を供給する浄水通路６が接続され、Ａ粉末溶解手段１と透析液調製装置３の計量手段４との間にはＡ溶液通路７が、Ｂ粉末溶解手段２と透析液調製装置３の計量手段４との間にはＢ溶液通路８が、計量手段４と往復ポンプ５との間にはＡ溶液Ｂ溶液通路９が、往復ポンプ５と透析装置との間には透析液通路１０がそれぞれ配設されている。
そしてＡ溶液通路７およびＢ溶液通路８は、それぞれＡ粉末、Ｂ粉末溶解手段１、２側となる排出路７ａ，８ａと、透析液調製装置３側となる導入路７ｂ、８ｂと、これらを接続する接続部７ｃ、８ｃとから構成されており、上記接続部７ｃ、８ｃによって上記Ａ粉末溶解手段１およびＢ粉末溶解手段２が上記透析液調製装置３と接続されるようになっている。
【０００８】
上記浄水通路６には図示しない浄水供給手段からの浄水が流通し、途中で分岐してそれぞれ上記Ａ粉末溶解手段１およびＢ粉末溶解手段２に接続されている。
該浄水通路６には上流側から順に、第１開閉弁ＳＶ１、流量調整弁ＦＶ１、ヒーター１１、第１送液ポンプＰ１、脱気槽１２が設けられ、分岐したＡ粉末溶解手段１側の浄水通路６には第２開閉弁ＳＶ２、Ｂ粉末溶解手段２側の浄水通路６には第３開閉弁ＳＶ３がそれぞれ設けられている。
上記流量調整弁ＦＶ１は所定流量の浄水を流通させ、上記ヒーター１１は浄水を所定温度まで上昇させ、脱気槽１２ではこの浄水から空気を除去するようになっている。
【０００９】
上記Ａ粉末溶解手段１は、上記浄水通路６の接続されたＡ溶液タンク２１と、透析用Ａ粉末を貯溜するＡ粉末ホッパ２２と、該Ａ溶液タンク２１に透析用Ａ粉末を投入するＡ粉末フィーダ２３とを備えている。
上記Ａ溶液通路７には、排出路７ａにＡ溶液タンク２１の液体を送液する第２送液ポンプＰ２と、第２送液ポンプＰ２の下流側の位置で排出路７ａから分岐するとともにＡ溶液タンク２１に接続されるＡ溶液循環通路２４と、該Ａ溶液循環通路２４に設けられた第１リリーフ弁ＲＶ１とを備え、導入路７ｂには第４開閉弁ＳＶ４を備えている。
上記Ａ溶液タンク２１には、上記浄水通路６を流通した浄水が上記第２開閉弁ＳＶ２を介して所定の流量で供給され、この浄水に上記Ａ粉末フィーダ２３がＡ粉末ホッパ２２内の透析用Ａ粉末を所定の割合で供給して溶解させるようになっている。
Ａ溶液タンク２１にはＡ溶液の液面位置を検出する液面センサＬＳが設けられており、液面が高くなりすぎた場合や低くなりすぎた場合には、一時的にＡ溶液の作成を停止したり、上記制御手段が所要の警告を出力するようになっている。
上記第２送液ポンプＰ２はＡ溶液タンク２１内の液体を送液するようになっており、第４開閉弁ＳＶ４が閉鎖された状態だと、送液された液体はＡ溶液循環通路２４を流通してＡ溶液タンク２１へと循環するようになっている。
このとき、上記第１リリーフ弁ＲＶ１により上記液体の逆流が防止され、さらに該液体の循環によりＡ溶液タンク２１内の液体が攪拌されるので、透析用Ａ粉末が浄水に溶解し、Ａ溶液が作成されるようになっている。
【００１０】
上記Ｂ粉末溶解手段２は、上記浄水通路６の接続されたＢ溶液タンク３１と、透析用Ｂ粉末を貯溜するＢ粉末ホッパ３２と、該Ｂ溶液タンク３１に透析用Ｂ粉末を投入するＢ粉末フィーダ３３とを備えている。
上記Ｂ溶液通路８には、排出路８ａにＢ溶液タンク３１の液体を送液する第３送液ポンプＰ３と、第３送液ポンプＰ３の下流側の位置で排出路８ａから分岐してＢ溶液タンク３１に接続されたＢ溶液循環通路３４と、該Ｂ溶液循環通路３４に設けられた第２リリーフ弁ＲＶ２とを備え、導入路８ｂには第５開閉弁ＳＶ５が設けられている。
なお、Ｂ粉末溶解手段２の構成および動作自体は上記Ａ粉末溶解手段１と同じなので、詳細な説明は省略し、またこのような粉末溶解手段としては、従来公知の透析用の粉末溶解装置を使用することが可能となっている。
【００１１】
上記計量手段４は、内部がダイアフラム４ａによって区画され、Ａ溶液通路７を介してＡ溶液が流入するＡ溶液室４Ａと、Ｂ溶液通路８を介してＢ溶液が流入するＢ溶液室４Ｂとを有する密閉容器となっており、これらＡ溶液室４ＡおよびＢ溶液室４Ｂによる溶液の収容可能量は等しくなっている。
上記Ａ溶液Ｂ溶液通路９は、それぞれ上記Ａ溶液室４ＡおよびＢ溶液室４Ｂに接続された後に合流し、その後再び分岐して上記往復ポンプ５の両端に接続されており、上記合流部には第４送液ポンプＰ４および流れ検出センサＦＳが設けられている。
そして、第４送液ポンプＰ４とＡ溶液室４Ａとの間には第６開閉弁ＳＶ６が、Ｂ溶液室４Ｂとの間には第７開閉弁ＳＶ７がそれぞれ設けられ、第４送液ポンプＰ４と往復ポンプ５との間には、一方の分岐路に第８開閉弁ＳＶ８が、他方の分岐路には第９開閉弁ＳＶ９がそれぞれ設けられている。
このような構成により、例えば第４、第７開閉弁ＳＶ４、ＳＶ７が開放され、第５、第６開閉弁ＳＶ５，ＳＶ６が閉鎖された状態で、第２送液ポンプＰ２がＡ溶液を送液すると、該Ａ溶液は計量手段４のＡ溶液室４Ａに供給され、ダイアフラム４ａが変形してＡ溶液室４Ａの容積が増大する。
この際、Ｂ溶液室４Ｂからは第４送液ポンプＰ４の作用によりＢ溶液が排出され、このＢ溶液は第８、第９開閉弁ＳＶ８，ＳＶ９の開放されているいずれか一方の分岐路を介して往復ポンプ５へと送液されるようになっている。
そしてＢ溶液室４Ｂが消滅するまでＡ溶液室４ＡにＡ溶液を供給し、逆にＡ溶液室４Ａが消滅するまでＢ溶液室４ＢにＢ溶液を供給することを交互に行うことで、計量手段４から往復ポンプ５へと、交互に同量のＡ溶液およびＢ溶液を送液することができる。
このように本実施例では、計量手段４と往復ポンプ５との間で流路を開閉する第６、第７、第８、第９開閉弁ＳＶ６，ＳＶ７，ＳＶ８、ＳＶ９および、第４送液ポンプＰ４により本発明の送液手段を構成している。
なお、上記第２、第３送液ポンプＰ２、Ｐ３による流入圧によって、Ａ溶液室４ＡまたはＢ溶液室４ＢからＡ溶液およびＢ溶液が排出される場合には、上記第４送液ポンプＰ４を省略することも可能である。
またこの場合、第２、第３ポンプＰ２，Ｐ３を、透析液調製装置３側の導入路８ｂ、９ｂのそれぞれに設けるようにしてもよい。
【００１２】
上記往復ポンプ５は、筒状のタンク４１と、該タンク４１内を摺動しながら往復動するピストン４２と、該ピストン４２を貫通して設けられたロッド４３と、上記タンク４１に対して離隔した位置に設けられたリミットスイッチ４４とを備えている。
上記タンク４１の内部には上記ピストン４２の左右に混合室４１ａ、４１ｂが形成されており、この左右の混合室４１ａ、４１ｂには、分岐したＡ溶液Ｂ溶液通路９と、同じく分岐した上記透析液通路１０とがそれぞれ接続されている。
上記透析液通路１０は各混合室４１ａ、４１ｂの下流となる位置で合流し、透析液の濃度を測定する２つの濃度センサＣＤと、該濃度センサＣＤの下流で分岐する排液通路４５と、排液通路４５の分岐位置よりも下流に設けられた第１モータ弁ＭＶ１と、第２モータ弁ＭＶ２とが設けられている。
第１モータ弁ＭＶ１の下流側の透析液通路１０は、図示しないが分岐した後複数台の透析装置に接続されており、排液通路４５における第２モータ弁ＭＶ２の下流側は排液口となっており、図示しない排液管に連結されている。
上記Ａ溶液Ｂ溶液通路９に設けられた上記第８、第９開閉弁ＳＶ８，ＳＶ９は、いずれか一方のみが開放されるようになっており、このため上記往復ポンプ５にはいずれか一方の混合室４１ａ、４１ｂにのみＡ溶液およびＢ溶液が流入するようになっている。
そしてＡ溶液およびＢ溶液が交互に同じ回数だけ流入することで、例えば、一方の混合室４１ｂではＡ溶液とＢ溶液とが混合されて透析液が調製され、さらにピストン４２が反対側となる他方の混合室４１ａ側に押圧されて、該他方の混合室４１ａからは先に調製された透析液が透析液通路１０へ排出されるようになっている。
上記ロッド４３はタンク４１の図示両側に突出しており、ピストン４２が往復動して所定の右方端または左方端まで移動すると、いずれか一方のリミットスイッチ４４に接触し、制御手段が所要の警告を出力するようになっている。
【００１３】
以下、透析液調製装置３を用いた透析液調製方法について説明する。
まず、本実施例で調製する透析液について説明すると、本実施例ではニプロ株式会社製「リンパックＴＡ３」（登録商標）を用いて透析液を調製し、本製剤のＡ剤（透析用Ａ粉末）には塩化ナトリウムや塩化カリウムが含まれ、Ｂ剤（透析用Ｂ粉末）には炭酸水素ナトリウムが含まれている。
そして本実施例におけるＡ粉末溶解手段１では、約１．７０３ｗ／ｖ％の濃度でＡ溶液を作成し、Ｂ粉末溶解手段２では、約０．４１９ｗ／ｖ％の濃度でＢ溶液を作成する。
このような濃度でＡ溶液およびＢ溶液を作成することで、これらに浄水を添加せずとも、Ａ溶液およびＢ溶液を１：１の割合で混合すれば、本来の用法によって調製された透析液と同じ成分の透析液を得ることができる。
なお、上記製剤の本来の用法では、予めＡ剤２６８２ｇを浄水で溶解して９ＬのＡ原液を作成し、Ｂ剤６６１．６ｇを浄水で溶解して１１．３４ＬのＢ原液を作成する必要がある。この場合の上記Ａ原液におけるＡ剤の濃度は２９．８ｗ／ｖ％であり、上記Ｂ原液におけるＢ剤の濃度は約５．８３ｗ／ｖ％である。
そして、このようにして作成したＡ原液およびＢ原液を用いて、上記Ａ原液、Ｂ原液、浄水を１：１．２６：３２．７４の比率で混合し、透析液を調製するようになっている。
【００１４】
次に、図１は既に透析液調製装置３が通常の運転状態になっているものとして説明する。
図１では、浄水通路６の第２開閉弁ＳＶ２が閉鎖されるとともに第３開閉弁ＳＶ３が開放され、Ａ粉末溶解手段１には浄水が供給されずにＢ粉末溶解手段２には浄水が供給されている。
そしてＡ粉末溶解手段１ではＡ溶液の作成を停止しており、上記第４開閉弁ＳＶ４が開放されることで、第２送液ポンプＰ２が送液したＡ溶液はＡ溶液循環通路２４で循環せずに上記計量手段４のＡ溶液室４Ａに流入する。
一方、Ｂ粉末溶解手段２ではＢ溶液の作成を行っており、上記第５開閉弁ＳＶ５は閉鎖されているので、第３送液ポンプＰ３が送液したＢ溶液は上記Ｂ溶液循環通路３４とＢ溶液タンク３１とを循環して透析用Ｂ粉末と浄水とを攪拌するようになっている。
【００１５】
また図１では、透析液調製装置３のＡ溶液Ｂ溶液通路９の第６開閉弁ＳＶ６が閉鎖され、第７開閉弁ＳＶ７が開放されており、上記Ａ溶液通路７を流通したＡ溶液が計量手段４のＡ溶液室４Ａに流入し、このＡ溶液はＡ溶液Ｂ溶液通路９には排出されないようになっている。
計量手段４では、第７開閉弁ＳＶ７が開放されることで、Ｂ溶液室４Ｂから往復ポンプ５へＢ溶液が送液され、Ａ溶液がＡ溶液室４Ａに流入することで、ダイアフラム４ａが押されてＡ溶液室４Ａの容積が増大する。
そして、計量手段４のＢ溶液室４Ｂが消滅してＡ溶液室４Ａが最大の容積となることで、計量手段４によって所定量のＡ溶液が計量されるとともに、これと等量のＢ溶液が往復ポンプ５へ送液される。
【００１６】
さらに図１では、Ａ溶液Ｂ溶液通路９の第８開閉弁ＳＶ８が閉鎖され、第９開閉弁ＳＶ９が開放されており、上記計量手段４のＢ溶液室４Ｂから排出されたＢ溶液は上記第４送液ポンプＰ４によって送液され、第９開閉弁ＳＶ９を介して上記往復ポンプ５の図示右側の混合室４１ｂに流入している。
Ｂ溶液が流入することで、ピストン４２は図示左方に移動し、これにより図示左方の混合室４１ａ内に貯溜された透析液が透析液通路１０に排出される。
排出された透析液は透析液通路１０に設けられた濃度センサＣＤによって濃度が測定され、透析液の濃度が適正であれば、上記第１モータ弁ＭＶ１が開放されて、排液通路４５の第２モータ弁ＭＶ２が閉鎖され、透析液は透析液通路１０を介して透析装置に送液される。
逆に、透析液の濃度に異常がある場合には、上記第１モータ弁ＭＶ１が閉鎖されて、排液通路４５の第２モータ弁ＭＶ２が開放され、透析液は排液通路４５を介して排液される。
なお、透析液調製装置３の作動開始時において、所定濃度の透析液が安定的に供給されるまでは、第２モータ弁ＭＶ２を開放して、液体を排液管に排液するようになっている。
【００１７】
図２は上記図１の状態から所定時間経過した状態を示している。
具体的には、上記図１における計量手段４においてＢ溶液室４Ｂがダイアフラム４ａに押されて消滅し、上記Ａ溶液Ｂ溶液通路９の流れ検出センサＦＳにおいてＢ溶液の流通が検出されなくなると、各開閉弁ＳＶ４〜７が図１の状態から図２の状態へと切り替わるようになっている。
図２では、浄水通路６の第２開閉弁ＳＶ２が開放されるとともに第３開閉弁ＳＶ３が閉鎖され、Ａ粉末溶解手段１に浄水が供給されてＢ粉末溶解手段２への浄水の供給は停止されている。
そしてＡ粉末溶解手段１ではＡ溶液の作成を開始され、上記第４開閉弁ＳＶ４は閉鎖されているので、第２送液ポンプＰ２が送液したＡ溶液はＡ溶液循環通路２４で循環してＡ溶液タンク２１内の透析用Ａ粉末と浄水とを攪拌するようになっている。
一方、Ｂ粉末溶解手段２ではＢ溶液の作成を中止し、上記第５開閉弁ＳＶ５は開放されているので、第３送液ポンプＰ３が送液したＢ溶液は上記Ｂ溶液循環通路３４で循環せずに上記計量手段４のＢ溶液室４Ｂに流入する。
【００１８】
また図２では、Ａ溶液Ｂ溶液通路９の第６開閉弁ＳＶ６が開放されて、第７開閉弁ＳＶ７が閉鎖されており、上記Ｂ溶液通路８を流通したＢ溶液が計量手段４のＢ溶液室４Ｂに流入し、このＢ溶液はＡ溶液Ｂ溶液通路９には排出されないようになっている。
計量手段４では、第６開閉弁ＳＶ６が開放されることで、Ａ溶液室４Ａから往復ポンプ５へＡ溶液が送液され、Ｂ溶液がＢ溶液室４Ｂに流入することで、ダイアフラム４ａが押されてＢ溶液室４Ｂの容積が増大する。
そして、計量手段４のＡ溶液室４Ａが消滅してＢ溶液室４Ｂが最大の容積となることで、計量手段４によって所定量のＢ溶液が計量されるとともに、これと等量のＢ溶液が排出される。
【００１９】
さらに図２では図１のときと同様、Ａ溶液Ｂ溶液通路９の第８開閉弁ＳＶ８が閉鎖され、第９開閉弁ＳＶ９が開放されており、上記Ａ溶液室４Ａから排出されたＡ溶液は上記第４送液ポンプＰ４により第９開閉弁ＳＶ９を介して上記往復ポンプ５の図示右側の混合室４１ｂに流入している。
混合室４１ｂには図１において既にＢ溶液が流入しており、この混合室４１ｂにはＢ溶液と同量のＡ溶液が流入するので、混合室４１ｂ内でＡ溶液とＢ溶液とが１：１の割合で混合されることとなる。
このとき、予めＡ粉末溶解手段１およびＢ粉末溶解手段２が上述した濃度でＡ溶液およびＢ溶液を作成しているので、この混合室４１ｂに新たに浄水を供給しなくとも、Ａ溶液とＢ溶液とを混合するだけで透析液を得ることができる。
さらに、混合室４１ｂにＡ溶液が流入することで、ピストン４２がさらに図示左方に移動し、これにより図示左方の混合室４１ａ内の透析液は透析液通路１０に排出され、上述したように透析装置へと供給される。
【００２０】
図３は上記図２から所定時間経過した状態を示している。
具体的には、上記図２における計量手段４においてＡ溶液室４Ａがダイアフラム４ａに押されて消滅し、上記Ａ溶液Ｂ溶液通路９の流れ検出センサＦＳにおいてＡ溶液の流通が検出されなくなったら、各開閉弁ＳＶ４〜７が図２から図３に切り替わるようになっている。
ここでは、上記図１の状態と同様、Ａ粉末溶解手段１ではＡ溶液の作成を中止する一方で、Ｂ粉末溶解手段２ではＢ溶液の作成を行っており、計量手段４にはＡ溶液が供給されるようになっている。
また、計量手段４ではＡ溶液室４ＡにＡ溶液が供給されてＢ溶液室４ＢからＢ溶液が排出され、このときもＢ溶液室４Ｂが消滅するまでことで、計量手段４によって一定量のＡ溶液が計量され、一方でＡ溶液と同量のＢ溶液が送液されるようになっている。
【００２１】
そして、この図３の状態では、図１、図２の状態と異なり、Ａ溶液Ｂ溶液通路９の第８開閉弁ＳＶ８が開放され、第９開閉弁ＳＶ９が閉鎖されている。
つまり、図１、図２において、計量手段４によりＡ溶液、Ｂ溶液が同回数ずつ（本実施例では１回ずつ）計量され、図示右側の混合室４１ｂにそれぞれ１回ずつ同量のＡ溶液とＢ溶液が流入して、該混合室４１ｂに所定量の透析液が調製されたので、図３では左側の混合室４１ａにＢ溶液が供給されるようになっている。
これにより、上記計量手段４のＢ溶液室４Ｂから送液されたＢ溶液は上記第４送液ポンプＰ４によって第８開閉弁ＳＶ８を介して上記往復ポンプ５の図示左側の混合室４１ａに流入する。
Ｂ溶液が流入することで、ピストン４２が図示右方に移動し、これにより図２において調製された図示右方の混合室４１ｂ内の透析液は透析液通路１０を介して透析装置に送液される。
【００２２】
図４は上記図３の状態から所定時間経過した状態を示している。
具体的には、上記図３における計量手段４においてＢ溶液室４Ｂがダイアフラム４ａに押されて消滅し、上記Ａ溶液Ｂ溶液通路９の流れ検出センサＦＳにおいてＢ溶液の流通が検出されなくなったら、図３の状態から図４の状態に切り替わるようになっている。
ここでは、上記図２の状態と同様、Ａ粉末溶解手段１はＡ溶液の作成を行っており、Ｂ粉末溶解手段２ではＢ溶液の作成を中止し、計量手段４にはＢ溶液が供給されるようになっている。
また、計量手段４ではＢ溶液室４ＢにＢ溶液が供給されてＡ溶液室４ＡからＡ溶液が排出され、このときもＡ溶液室４Ａが消滅するまでことで、密閉容器からなる計量手段４に収容可能な一定量のＢ溶液が計量され、計量されたＢ溶液と同量のＡ溶液が送液されるようになっている。
【００２３】
次に、図４の状態では図３のときと同様、Ａ溶液Ｂ溶液通路９の第８開閉弁ＳＶ８が開放されて、第９開閉弁ＳＶ９が閉鎖され、Ａ溶液室４Ａから排出されたＡ溶液は上記第３送液ポンプＰ３によって第８開閉弁ＳＶ８を介して上記往復ポンプ５の図示左側の混合室４１ａに流入する。
この混合室４１ａには図３において既にＢ溶液が流入しており、この混合室４１ａにこのＢ溶液と同量のＡ溶液が流入するので、この混合室４１ａ内でＡ溶液とＢ溶液と１：１の割合で混合され、透析液が調製される。
さらに、Ａ溶液が流入することでピストン４２が図示右方に移動し、これにより図示右方の混合室４１ｂ内の透析液は透析液通路１０を介して透析装置に送液される。
そして、図示左方の混合室４１ａに同じ回数だけＡ溶液とＢ溶液とが流入すると、再び図１の状態に切り替わり、以後図１〜図４の状態に切り替わりながら、連続して透析液を透析装置に供給することができるようになっている。
【００２４】
上記実施例によれば、上記Ａ粉末溶解手段１およびＢ粉末溶解手段２が予めＡ溶液およびＢ溶液を上述した濃度で作成しているので、透析液調製装置３において計量手段４がＡ溶液およびＢ溶液を同量ずつ同回数計量して往復ポンプ５に送液すれば、１：１の割合でＡ溶液およびＢ溶液が混合されて、浄水を添加しなくても透析液を得ることができ、容易に透析液を調製することが可能である。
また、上記計量手段４として、ダイアフラム４ａで２つに区画された密閉容器により計量を行っているので、Ａ溶液およびＢ溶液を１：１の割合で同量ずつ交互に往復ポンプ５に送液することができ、精密ポンプ等によって送液量を厳密に管理せずとも透析液を調製することができる。
これに対し、従来の透析液調製装置３によれば、Ａ原液と、Ｂ原液と、浄水とをそれぞれ所定の比率（１：１．２６：３２．７４）で混合しなければならず、これらを精密に計量する必要があることから、透析液の調製にかかる作業が煩雑となり、またこれに伴って構成が複雑になるという問題があった。
また、上記Ａ溶液およびＢ溶液を上記往復ポンプ５内で混合すれば透析液が得られるので、混合タンクおよび貯溜タンクをそれぞれ備えなければならない従来技術に比べて、構成が簡素となり、装置の小型化を図ることができる。
さらに、計量手段４および往復ポンプ５は、密閉された容器内に、容積変動可能な混合室４１ａ、４１ｂを備えているので、内部の液体が外気に触れることがなく、作成された透析液に空気中の細菌や微粒子が混入することがない。
そして、上記Ａ溶液およびＢ溶液は従来公知のＡ粉末溶解装置およびＢ粉末溶解装置を使用して作成することができ、既に病院等に設置されている機器を使用することで低コストに導入することが可能である。
【００２５】
図５、図６は本発明にかかる第２実施例を示し、透析用Ａ粉末を浄水に溶解させてＡ溶液を作成するＡ粉末溶解手段１０１と、透析用Ｂ粉末を浄水に溶解させてＢ溶液を作成するＢ粉末溶解手段１０２と、これらＡ溶液とＢ溶液とを混合して透析液を調製する透析液調製装置１０３とを示している。
なお、以下の説明において上記Ａ粉末溶解手段１０１およびＢ粉末溶解手段１０２は第１実施例と同様の構成を有するので詳細な説明を省略し、図においては第１実施例に使用した符号に１００を加算した符号を付すものとする。
上記透析液調製装置１０３は、Ａ粉末溶解手段１０１およびＢ粉末溶解手段１０２より供給されたＡ溶液およびＢ溶液を計量する計量手段としてのＡ溶液密閉容器１０４およびＢ溶液密閉容器１０５と、これらが計量したＡ溶液およびＢ溶液を送液する送液手段と、Ａ溶液およびＢ溶液を混合して透析液を作成するとともに、該透析液を図示しない透析装置に供給する混合手段としてのアキュームタンク１０６とを備えている。
上記Ａ溶液密閉容器１０４およびＢ溶液密閉容器１０５は、溶液の収容可能量が等しくなっており、両者で同じ量を計量することが可能となっている。
また、上記Ａ粉末溶解手段１０１およびＢ粉末溶解手段１０２には浄水を供給する浄水通路１０７が接続され、Ａ粉末溶解手段１０１とＡ溶液密閉容器１０４との間にはＡ溶液供給通路１０８が、Ｂ粉末溶解手段１０２とＢ溶液密閉容器１０５との間にはＢ溶液供給通路１０９が、Ａ溶液密閉容器１０４とアキュームタンク１０６との間にはＡ溶液排出通路１１０ａ，１１０ｂが、Ｂ溶液密閉容器１０５とアキュームタンク１０６との間にはＢ溶液排出通路１１１ａ，１１１ｂが配置されており、アキュームタンク１０６と透析装置との間には透析液通路１１２が配設され、該透析液通路１１２には、アキュームタンク１０６から透析液を下流側に送液する第４送液ポンプＰ４が設けられている。
そして上記浄水通路１０７には、上流側から順に、第１開閉弁ＳＶ１、流量調整弁ＦＶ１、ヒーター１１３、第１送液ポンプＰ１、脱気槽１１４が設けられ、分岐したＡ粉末溶解手段１０１側には第２開閉弁ＳＶ２、Ｂ粉末溶解手段１０２側には第３開閉弁ＳＶ３がそれぞれ設けられている。
【００２６】
Ａ溶液密閉容器１０４はダイアフラム１０４ａによって、収容可能量の等しい２つのＡ溶液室１０４Ａからなる２室に区画されている。
上記Ａ溶液供給通路１０８は、Ａ粉末溶解手段１０１側の排出路１０８ａ、透析液調製装置１０３側の導入路１０８ｂ、これらを接続する接続部１０８ｃとから構成されている。
上記排出路１０８ａには第２送液ポンプＰ２が設けられ、その下流からＡ溶液循環通路１２４が分岐してＡ溶液タンク１２１に接続され、該Ａ溶液循環通路１２４にはリリーフ弁ＲＶ１が設けられている。
また導入路１０８ｂには、Ａ溶液の流通の有無を検出するＡ溶液流れ検出センサＦＳ１が設けられ、該Ａ溶液流れ検出センサＦＳ１の下流側で導入路１０８ｂは２つに分岐している。
分岐した導入路１０８ｂはそれぞれ上記Ａ溶液密閉容器１０４の各Ａ溶液室１０４Ａに接続され、第４、第５開閉弁ＳＶ４，ＳＶ５が各々に対応して設けられている。
さらに、各Ａ溶液室１０４Ａにはそれぞれ上記Ａ溶液排出通路１１０ａ，１１０ｂが接続されるとともに、Ａ溶液排出通路１１０ａには第６開閉弁ＳＶ６が、Ａ溶液排出通路１１０ｂには第７開閉弁ＳＶ７が設けられている。
上記導入路１０８ｂの送液可能流量は上記第２送液ポンプＰ２の送液流量よりも小流量に設定されており、このため、排出路１０８ａでは一部のＡ溶液が上記Ａ溶液循環通路１２４を介してＡ溶液タンク１２１へと循環し、透析用Ａ粉末と浄水との攪拌が行われるようになっている。
【００２７】
上記Ａ溶液密閉容器１０４と同様、Ｂ溶液密閉容器１０５はダイアフラム１０５ａによって、収容可能量の等しい２つのＢ溶液室１０５Ａからなる２室に区画されており、これらＢ溶液室１０５Ａの収容可能量は、Ａ溶液密閉容器１０４のＡ溶液室１０４Ａとも等しくなっている。
上記Ｂ溶液供給通路１０９は、Ｂ粉末溶解手段１０２側の排出路１０９ａ、透析液調製装置１０３側の導入路１０９ｂ、これらを接続する接続部１０９ｃとから構成されている。
上記排出路１０９ａには第３送液ポンプＰ３が設けられ、その下流からＢ溶液循環通路１３４が分岐してＢ溶液タンク１３１に接続され、該Ｂ溶液循環通路１３４にはリリーフ弁ＲＶ２が設けられている。
また導入路１０９ｂには、Ｂ溶液の流通の有無を検出するＢ溶液流れ検出センサＦＳ２が設けられ、該Ｂ溶液流れ検出センサＦＳ２の下流側で導入路１０９ｂは２つに分岐している。
分岐した導入路１０９ｂはそれぞれ上記Ｂ溶液密閉容器１０５の各Ｂ溶液室１０５Ａに接続され、第８、第９開閉弁ＳＶ８，ＳＶ９が各々に対応して設けられている。
さらに、各Ｂ溶液室１０５Ａにはそれぞれ上記Ｂ溶液排出通路１１１ａ，１１１ｂが接続されるとともに、Ｂ溶液排出通路１１１ａには第１０開閉弁ＳＶ１０が、Ｂ溶液排出通路１１１ｂには第１１開閉弁ＳＶ１１が設けられている。
上記導入路１０９ｂの送液可能流量は上記第３送液ポンプＰ３の送液流量よりも小流量に設定されており、このため、排出路１０９ａでは一部のＢ溶液が上記Ｂ溶液循環通路１３４を介してＢ溶液タンク１３１へと循環し、透析用Ｂ粉末と浄水との攪拌が行われるようになっている。
【００２８】
上記アキュームタンク１０６は、筒状のタンク１４１と、該タンク１４１内を摺動しながら往復動するピストン１４２と、該ピストン１４２を付勢する付勢手段としてのばね１４３と、上記ピストン１４２に設けられたロッド１４４と、上記タンク１４１に対して離隔した位置に設けらたリミットスイッチ１４５とを備えている。
上記タンク１４１は上記ピストン１４２によって、ばね１４３、ロッド１４４を設けた側とは反対の図示右方に混合室１４１ａが形成されており、この混合室１４１ａには、上記Ａ溶液排出通路１１０ａ、１１０ｂおよびＢ溶液排出通路１１１ａ、１１１ｂと、透析液通路１１２とがそれぞれ接続されている。
上記ばね１４３はピストン１４２を常時混合室１４１ａの容積を減少させる方向（図示右方）に付勢しており、第４送液ポンプＰ４により混合室１４１ａ内の透析液が透析液通路１１２に排出されると、ばね１４３の付勢により混合室１４１ａの容積を減少させるようにピストン１４２が図示右方に移動して、混合室１４１ａ内は常時透析液が充満した大気に触れない状態に保持されるようになっている。
上記ロッド１４４はタンク１４１の図示左方に突出しており、ピストン１４２が図示左方端まで移動すると、上記リミットスイッチ１４５に接触するように設けられており、リミットスイッチ１４５が作動すると制御手段が所要の警告を出力するようになっている。
【００２９】
このような構成において、図５に示すように第４、第７開閉弁ＳＶ４、ＳＶ７を閉鎖して、第５、第６開閉弁ＳＶ５、ＳＶ６を開放することでアキュームタンク１０６へＡ溶液を送液すると同時に、第８、第１１開閉弁ＳＶ８、ＳＶ１１を閉鎖して、第９、第１０開閉弁ＳＶ９、ＳＶ１０を開放することでアキュームタンク１０６へＢ溶液を送液する。
この状態では、Ａ溶液はＡ溶液密閉容器１０４の図示右方のＡ溶液室１０４Ａに供給される一方、図示左方のＡ溶液室１０４Ａから排出され、Ａ溶液排出通路１１０ａの第６開閉弁ＳＶ６を介してアキュームタンク１０６へと送液される。
これと同時に、Ｂ溶液はＢ溶液密閉容器１０５の図示右方のＢ溶液室１０５Ａに供給される一方、図示左方のＢ溶液室１０５Ａから排出され、Ｂ溶液排出通路１１１ａの第１０開閉弁ＳＶ１０を介してアキュームタンク１０６へと送液される。
このように本実施例においては、Ａ溶液密閉容器１０４およびＢ溶液密閉容器１０５のそれぞれから、同時にアキュームタンク１０６へ送液するようになっており、Ａ溶液密閉容器１０４およびＢ溶液密閉容器１０５の図示左方のＡ溶液室１０４ＡおよびＢ溶液室１０５Ａは同時に消滅して、その後上記各開閉弁の開閉状態を切り換えると、今度は図示左方のＡ溶液室１０４ＡおよびＢ溶液室１０５ＡにそれぞれＡ溶液およびＢ溶液が供給されることとなる。
そしてこれを交互に行い、Ａ溶液密閉容器１０４およびＢ溶液密閉容器１０５によりＡ溶液およびＢ溶液を、同量ずつ同回数計量してアキュームタンク１０６に送液することにより、Ａ溶液およびＢ溶液を１：１の割合で混合することができる。
このような本実施例においては、Ａ溶液密閉容器１０４およびＢ溶液密閉容器１０５からアキュームタンク１０６への流路を開閉する各開閉弁ＳＶ６，ＳＶ７，ＳＶ１０，ＳＶ１１および、第４送液ポンプＰ４により、本発明の送液手段が構成されている。
【００３０】
以下、この透析液調製装置１０３を用いた透析液調製方法について説明するが、ここでも図５は既にＡ粉末溶解手段１０１、Ｂ粉末溶解手段１０２、透析液調製装置１０３が通常の運転状態になっているものとして説明する。
まず、Ａ粉末溶解手段１０１およびＢ粉末溶解手段１０２では、上記第１実施例と同様、約１．７０３ｗ／ｖ％の濃度でＡ溶液を作成するとともに、約０．４１９ｗ／ｖ％の濃度でＢ溶液を作成している。
本実施例では、透析液調製装置１０３の作動中は基本的に連続してＡ溶液およびＢ溶液を作成するようになっており、上記第２、第３送液ポンプＰ２、Ｐ３は所定流量のＡ溶液およびＢ溶液を常時送液するようになっている。
ただし、一部のＡ溶液およびＢ溶液は、Ａ溶液循環通路１２４およびＢ溶液循環通路１３４を介して循環するので、Ａ溶液タンク１２１およびＢ溶液タンク１３１では透析用Ａ粉末および透析用Ｂ粉末と浄水とがそれぞれ攪拌されるようになっている。
【００３１】
図５では、Ａ溶液密閉容器１０４の上流に位置する第４開閉弁ＳＶ４が閉鎖されるとともに第５開閉弁ＳＶ５が開放され、下流に位置する第６開閉弁ＳＶ６が開放されるとともに第７開閉弁ＳＶ７が閉鎖されている。
このため、Ａ溶液流れ検出センサＦＳ１を通過したＡ溶液は第５開閉弁ＳＶ５を介して図示右方のＡ溶液室１０４Ａに流入し、逆に図示左方のＡ溶液室１０４Ａからは第６開閉弁ＳＶ６を介してＡ溶液が上記アキュームタンク１０６へと送液される。
一方、Ｂ溶液密閉容器１０５の上流に位置する第８開閉弁ＳＶ８が閉鎖されるとともに第９開閉弁ＳＶ９が開放され、下流に位置する第１０開閉弁ＳＶ１０が開放されるとともに第１１開閉弁ＳＶ１１が閉鎖されている。
このため、Ｂ溶液流れ検出センサＦＳ２を通過したＢ溶液は第９開閉弁ＳＶ９を介してＢ溶液密閉容器１０５における図示右方のＢ溶液室１０５Ａに流入し、逆に図示左方のＢ溶液室１０５Ａからは第１０開閉弁ＳＶ１０を介してＢ溶液が上記アキュームタンク１０６へと送液される。
そして、Ａ溶液密閉容器１０４の図示左方のＡ溶液室１０４Ａが消滅して図示右方のＡ溶液室１０４Ａが最大の容積となることで、Ａ溶液密閉容器１０４では所定量のＡ溶液が計量され、これと同様、Ｂ溶液密閉容器１０５でも所定量のＢ溶液が計量される。
さらに、Ａ溶液密閉容器１０４のＡ溶液室１０４ＡとＢ溶液密閉容器１０５のＢ溶液室１０５Ａとは収容可能量が等しいことから、Ａ溶液密閉容器１０４で計量されるＡ溶液の量と、Ｂ溶液密閉容器１０５で計量されるＢ溶液の量とは等しくなり、これらを同時に送液することで１：１の割合で混合できるようになっている。
【００３２】
そして、アキュームタンク１０６には上記Ａ溶液密閉容器１０４およびＢ溶液密閉容器１０５から同量のＡ溶液およびＢ溶液が同時に流入するが、これらＡ溶液およびＢ溶液は混合することで浄水を添加することなく透析液が得られるように上記濃度で作成されているので、混合室１４１ａ内で直ちに透析液が調製される。
Ａ溶液およびＢ溶液が流入すると、アキュームタンク１０６のピストン１４２はばね１４３の付勢力に抗して図示左方に移動し、一方で第４送液ポンプＰ４により透析液が排出されることで、ピストン１４２はばね１４３の付勢力により図示右方に移動する。
そしてアキュームタンク１０６から排出された透析液は、透析液通路１１２に設けた濃度センサＣＤを通過して濃度が測定された後、上記透析装置へと供給されるか、上記排液通路１４５を介して排液されるようになっている。
【００３３】
図６は、上記図５の状態から所定時間経過した状態を示している。
具体的には、図５に示す状態から上記Ａ溶液密閉容器１０４およびＢ溶液密閉容器１０５における図示左方のＡ溶液室１０４ＡおよびＢ溶液室１０５Ａがダイアフラム１０４ａ，１０５ａに押されて消滅し、Ａ溶液流れ検出センサＦＳ１およびＢ溶液流れ検出センサＦＳ２がＡ溶液およびＢ溶液の流通を検出しなくなったら、図５の状態から図６の状態に切り替わるようになっている。
ここでは、Ａ溶液密閉容器１０４の上流に位置する第４開閉弁ＳＶ４が開放されるとともに第５開閉弁ＳＶ５が閉鎖され、下流に位置する第６開閉弁ＳＶ６が閉鎖されるとともに第７開閉弁ＳＶ７が開放されている。
このため、Ａ溶液流れ検出センサＦＳ１を通過したＡ溶液は第４開閉弁ＳＶ４を介して図示左方のＡ溶液室１０４Ａに流入し、逆に図示右方のＡ溶液室１０４Ａからは第７開閉弁ＳＶ７を介してＡ溶液が上記アキュームタンク１０６へと送液される。
一方、Ｂ溶液密閉容器１０５の上流に位置する第８開閉弁ＳＶ８が開放されるとともに第９開閉弁ＳＶ９が閉鎖され、下流に位置する第１０開閉弁ＳＶ１０が閉鎖されるとともに第１１開閉弁ＳＶ１１が開放されている。
このため、Ｂ溶液流れ検出センサＦＳ２を通過したＢ溶液は第８開閉弁ＳＶ８を介して図示左方のＢ溶液室１０５Ａに流入し、逆に図示右方のＢ溶液室１０５Ａからは第１１開閉弁ＳＶ１１を介してＢ溶液が上記アキュームタンク１０６へと送液される。
このとき、上記第４〜第１１開閉弁ＳＶ１１は同時に切り替わるようになっており、Ａ溶液密閉容器１０４から送液されるＡ溶液の量と、Ｂ溶液密閉容器１０５から送液されるＢ溶液の量は等しく、アキュームタンク１０６では同量のＡ溶液およびＢ溶液が供給され、これにより混合室１４１ａではＡ溶液およびＢ溶液が１：１の割合で混合され、直ちに透析液が調製され、該透析液は上記第４送液ポンプＰ４により透析装置に供給される。
【００３４】
上記実施例によれば、予めＡ溶液およびＢ溶液を上述した濃度で作成し、かつＡ溶液およびＢ溶液を１：１の割合でアキュームタンク１０６に同時に供給するので、浄水を添加しなくても透析液を得ることができ、容易に透析液を調製することが可能である。
また、上記Ａ溶液およびＢ溶液は上記アキュームタンク１０６内で混合するだけでよいので、従来の混合タンクおよび貯溜タンクをそれぞれ備えなければならない従来技術に比べて、構成が簡素となり、設備の小型化を図ることができる。
さらに、上記Ａ溶液およびＢ溶液は従来公知のＡ粉末溶解手段およびＢ粉末溶解手段を使用することが可能であり、既に病院等に設置されている機器を使用することで低コストに導入することが可能である。
【００３５】
図７は本発明にかかる第３実施例を示し、透析用Ａ粉末を浄水に溶解させてＡ溶液を作成するＡ粉末溶解手段２０１と、透析用Ｂ粉末を浄水に溶解させてＢ溶液を作成するＢ粉末溶解手段２０２と、これらＡ溶液とＢ溶液とを混合して透析液を調製する透析液調製装置２０３とを示している。
なお、以下の説明において第２実施例と同様の構成を有する部分については詳細な説明を省略し、図においては第２実施例に使用した符号に１００を加算した符号を付すものとする。
上記透析液調製装置２０３は、Ａ粉末溶解手段２０１およびＢ粉末溶解手段２０２より供給されたＡ溶液およびＢ溶液を計量する計量手段として、Ａ溶液密閉容器２０４、Ｂ溶液密閉容器２０５と、透析液を図示しない透析装置に供給する混合手段としての貯液タンク２０６とを備えている。
また、上記Ａ粉末溶解手段２０１およびＢ粉末溶解手段２０２には浄水を供給する浄水通路２０７が接続され、Ａ粉末溶解手段２０１とＡ溶液密閉容器２０４との間にはＡ溶液供給通路２０８が、Ｂ粉末溶解手段２０２とＢ溶液密閉容器２０５との間にはＢ溶液供給通路２０９が、Ａ溶液密閉容器２０４と貯液タンク２０６との間にはＡ溶液排出通路２１０ａ，２１０ｂが、Ｂ溶液密閉容器２０５と貯液タンク２０６との間にはＢ溶液排出通路２１１ａ，２１１ｂが配置されている。
さらに、貯液タンク２０６と透析装置との間には透析液通路２１２が配設され、この透析液通路２１２には途中から分岐して貯液タンク２０６に接続される透析液循環通路２１２ａが設けられ、該透析液循環通路２１２ａには第１２開閉弁ＳＶ１２が設けられている。
また、透析液通路２１２における上記透析液循環通路２１２ａへの分岐位置よりも上流側には、透析液を下流側に送液する第４送液ポンプＰ４と、透析液の濃度を測定する第１濃度センサＣＤ１が設けられ、分岐位置よりも下流側には、第２濃度センサＣＤ２および第１モータ弁ＭＶ１が設けられている。
そして本実施例では、Ａ溶液供給通路２０８に設けた第２ポンプＰ２およびＢ溶液供給通路２０９に設けた第３ポンプＰ３による流入圧によって、Ａ溶液密閉容器２０４およびＢ溶液密閉容器２０５から貯液タンク２０６へＡ溶液およびＢ溶液が流入し、これらとＡ溶液密閉容器２０４およびＢ溶液密閉容器２０５から貯液タンク２０６への流路を開閉する各開閉弁ＳＶ６，ＳＶ７，ＳＶ１０，ＳＶ１１により、送液手段が構成されている。
【００３６】
上記貯液タンク２０６の側面からは上記Ａ溶液排出通路２１０ａ，２１０ｂおよびＢ溶液排出通路２１１ａ，２１１ｂによってＡ溶液およびＢ溶液が流入し、この貯液タンク２０６の内部でこれらが混合して透析液が調製されるようになっている。
また、貯液タンク２０６の底部には凹部２０６ａが形成され、上記透析液通路２１２はこの凹部２０６ａの底面に接続され、上記透析液循環通路２１２ａは、この凹部２０６ａではない貯液タンク２０６の底面に接続されている。
上記透析液通路２１２における透析液循環通路２１２ａの分岐位置よりも下流側での送液可能流量は、上記第４送液ポンプＰ４の送液流量よりも小流量に設定されており、このため、透析液通路２１２では一部の透析液が透析液循環通路２１２ａを介して貯液タンク２０６へと循環するようになっている。そしてこれらによって攪拌手段が構成されている。
さらに、貯液タンク２０６の内部にはそれぞれ透析液の貯液量を検出する第１液面センサＬＳ１および第２液面センサＬＳ２が設けられており、このうち第２液面センサＬＳ２は上記凹部２０６ａの内部に設けられている。
上記第１液面センサＬＳ１は貯液タンク２０６の透析液の貯溜量が設定した上限または下限に達したことを検知し、上記第２液面センサＬＳ２は透析液の残量不足を検知するようになっている。該第２液面センサＬＳ２が透析液の残量不足を検知すると、制御手段は所要の警告を発するとともに透析液調製装置２０３を停止させるようになっている。
なお、この貯液タンク２０６は大気開放されており、大気との連通箇所にはフィルタ２５１が設けられている。
【００３７】
以下、この透析液調製装置２０３を用いた透析液調製方法について説明するが、上記Ａ粉末溶解手段２０１、Ｂ粉末溶解手段２０２、Ａ溶液密閉容器２０４、Ｂ溶液密閉容器２０５、送液手段を構成する第４〜第１１開閉弁ＳＶ４〜ＳＶ１１の動作は、上記第２実施例と同様なので詳細な説明は省略する。
この第３実施例においては、上記Ａ溶液密閉容器２０４、Ｂ溶液密閉容器２０５から同量のＡ溶液およびＢ溶液が貯液タンク２０６に同時に送液され、これらＡ溶液およびＢ溶液は、所定割合で混合することで浄水を添加することなく透析液が得られるように設定された設定濃度で作成されていることから、貯液タンク２０６内で直ちに透析液が調製される。
貯液タンク２０６では、Ａ溶液およびＢ溶液が流入して混合されるとともに、第４送液ポンプＰ４の作用により上記透析液通路２１２から排出されるようになっており、第１モータバルブＭＶ１を閉じて第１２開閉弁ＳＶ１２を開くことで、Ａ溶液、Ｂ溶液が攪拌されて混合されるようになっている。
そして貯液タンク２０６で上限量まで透析液が調製されると、第１モータバルブＭＶ１が開放されて透析液が透析装置に送液される。また、この送液の間にも透析液の一部は透析液循環通路２１２ａを介して循環するようになっており、Ａ溶液およびＢ溶液の攪拌を行うことができる。
なお、第１、第２濃度センサＣＤにおいて透析液の濃度に異常が検出された場合には、第１モータ弁ＭＶ１が閉鎖されるとともに、第２モータ弁ＭＶ２が開放され、透析液は上記排液通路２４５を介して排液されるようになっている。
【００３８】
上記実施例によっても、予めＡ溶液およびＢ溶液を上記第１、第２実施例と同様の濃度で作成し、かつＡ溶液およびＢ溶液を１：１の割合で貯液タンク２０６に同時に供給するので、浄水を添加しなくても透析液を得ることができ、容易に透析液を調製することが可能である。
また、上記Ａ溶液およびＢ溶液は上記貯液タンク２０６内で混合するだけでよいので、Ａ原液、Ｂ原液、浄水を混合する２槽の混合タンクと貯溜タンクをそれぞれ備えなければならない従来技術に比べて、構成が簡素となり、設備の小型化を図ることができる。また、透析液循環通路２１２ａにより透析液を十分に攪拌することができる。
【００３９】
なお、上記第１実施例における上記往復ポンプ５を、上記第２実施例のアキュームタンク１０６や第３実施例の貯液タンク２０６などの混合手段としてもよく、これと同様、第２、第３実施例のアキュームタンク１０６および貯液タンク２０６を他の実施例の混合手段としてもよい。
さらに、上記第２実施例において、上記アキュームタンク１０６を複数設けるとともに、上記Ａ溶液排出通路１１０ａ、１１０ｂおよびＢ溶液排出通路１１１ａ，１１１ｂを分岐させて各アキュームタンク１０６にそれぞれＡ溶液およびＢ溶液を供給する構成としてもよい。
このようにすれば、上記アキュームタンク１０６内でＡ溶液およびＢ溶液の混合を十分に行うことが可能となる。
そして、上記第１〜第３実施例において、Ａ粉末溶解手段１、１０１、２０１およびＢ粉末溶解手段２、１０２、２０２の下流側に、それぞれＡ溶液およびＢ溶液の濃度センサを設けて、Ａ溶液およびＢ溶液が上記所定濃度で作成されているかを確認するようにしてもよい。
【図面の簡単な説明】
【００４０】
【図１】第１実施例にかかる透析液調製装置の構成図。
【図２】図１から所定時間経過した状態の透析液調製装置の構成図。
【図３】図２から所定時間経過した状態の透析液調製装置の構成図。
【図４】図３から所定時間経過した状態の透析液調製装置の構成図。
【図５】第２実施例にかかる透析液調製装置の構成図。
【図６】図５から所定時間経過した状態の透析液調製装置の構成図。
【図７】第３実施例にかかる透析液調製装置の構成図。
【符号の説明】
【００４１】
１、１０１、２０１  Ａ粉末溶解手段  ２，１０２、２０２  Ｂ粉末溶解手段
３，１０３、２０３  透析液調製装置  ４  計量手段
５  往復ポンプ                      １０４、２０４  Ａ溶液密閉容器
１０５、２０５  Ｂ溶液密閉容器      １０６  アキュームタンク
２０５  貯液タンク
【図１】
0005560539.tif 000002
【図２】
0005560539.tif 000003
【図３】
0005560539.tif 000004
【図４】
0005560539.tif 000005
【図５】
0005560539.tif 000006
【図６】
0005560539.tif 000007
【図７】
0005560539.tif 000008